(57)【要約】【課題】ユーザーが所望の印刷物を簡単な作業で取得することが可能な画像形成装置を提供する。【解決手段】画像形成装置は、印刷部と、予め登録されたフォーマット情報を原稿の向きと対応付けて記憶する記憶部と、原稿を読み取って画像データを生成する画像読取部と、読取原稿の画像データに対して文字認識処理を行い、文字の向きを読取原稿の向きとして判別し、読取原稿の向きに対応するフォーマット情報に基づき印刷用ページを生成し、印刷用ページの印刷を印刷部に行わせる制御部と、を備える。【選択図】図３
2019176411.tif 000002
【特許請求の範囲】
【請求項１】
用紙に印刷を行う印刷部と、
予め登録されたフォーマット情報を原稿の向きと対応付けて記憶する記憶部と、
コンタクトガラスに載置された原稿を読み取って画像データを生成する画像読取部と、
前記画像読取部が読み取った読取原稿の画像データに対して文字認識処理を行い、前記文字認識処理で認識した文字の向きを前記読取原稿の向きとして判別し、前記読取原稿の向きに対応する前記フォーマット情報に基づき印刷用ページを生成し、前記印刷用ページの印刷を前記印刷部に行わせる制御部と、を備えることを特徴とする画像形成装置。
【請求項２】
前記記憶部は、予め登録されたユーザー情報を含む登録情報をユーザーごとに記憶し、
前記制御部は、前記読取原稿に記された個人情報に対応するユーザーを対象ユーザーとして特定し、前記読取原稿の向きに対応する前記フォーマット情報に基づき、前記対象ユーザーの前記登録情報から印刷すべき前記ユーザー情報を抽出し、当該抽出した前記ユーザー情報を含む前記印刷用ページを生成することを特徴とする請求項１に記載の画像形成装置。
【請求項３】
操作パネルを備え、
前記制御部は、前記対象ユーザーを特定できなかった場合、前記読取原稿の確認を促すメッセージを前記操作パネルに表示させることを特徴とする請求項２に記載の画像形成装置。
【請求項４】
前記記憶部は、予め登録された紙種情報を原稿の向きと対応付けて記憶し、
前記制御部は、前記印刷用ページの印刷を前記印刷部に行わせるとき、前記読取原稿の向きに対応する前記紙種情報で示される紙種の用紙を使用させることを特徴とする請求項１〜３のいずれか１項に記載の画像形成装置。
【請求項５】
前記制御部は、両面印刷用の前記フォーマット情報が前記読取原稿の向きに対応する場合、両面印刷用の前記フォーマット情報に基づき表面ページの前記印刷用ページと裏面ページの前記印刷用ページとを生成し、当該生成した２ページ分の前記印刷用ページをそれぞれ用紙の一方面および他方面に１ページずつ印刷する両面印刷を前記印刷部に行わせることを特徴とする請求項１〜４のいずれか１項に記載の画像形成装置。
【請求項６】
前記制御部は、前記読取原稿の画像データからコード画像を検出した場合、前記コード画像の向きを前記読取原稿の向きとして判別することを特徴とする請求項１〜５のいずれか１項に記載の画像形成装置。
【請求項７】
前記制御部は、前記コード画像に埋め込まれた情報にユーザー情報が存在する場合、前記読取原稿の向きに対応する前記フォーマット情報に基づき、前記コード画像に埋め込まれた情報から印刷すべき前記ユーザー情報を抽出し、当該抽出した前記ユーザー情報を含む前記印刷用ページを生成することを特徴とする請求項６に記載の画像形成装置。
【請求項８】
操作パネルを備え、
前記制御部は、前記読取原稿の向きに対応する前記フォーマット情報および前記印刷用ページの印刷で使用する用紙の紙種をユーザーに報知するための報知情報を前記操作パネルに表示させることを特徴とする請求項１〜７のいずれか１項に記載の画像形成装置。
【請求項９】
前記操作パネルは、前記報知情報で示される内容での印刷を許可するか否かをユーザーから受け付け、
前記制御部は、前記報知情報で示される内容での印刷を許可する旨を前記操作パネルが受け付けた場合に、前記読取原稿の向きに対応する前記フォーマット情報に基づき生成した前記印刷用ページの印刷を前記印刷部に行わせることを特徴とする請求項８に記載の画像形成装置。
【請求項１０】
前記コンタクトガラスに対して開閉可能に支持される原稿カバーを備え、
前記制御部は、前記コンタクトガラスに載置された原稿を前記原稿カバーが開けられた状態で前記画像読取部が読み取った場合に、前記読取原稿の向きに対応する前記フォーマット情報に基づき生成した前記印刷用ページの印刷を前記印刷部に行わせることを特徴とする請求項１〜９のいずれか１項に記載の画像形成装置。
【請求項１１】
前記制御部は、前記画像読取部が読み取った前記読取原稿が複数枚存在する場合、複数枚の前記読取原稿のそれぞれについて前記読取原稿の向きを判別し、複数枚の前記読取原稿にそれぞれ対応する複数の前記印刷用ページを生成し、複数の前記印刷用ページの印刷を前記印刷部に行わせることを特徴とする請求項１〜１０のいずれか１項に記載の画像形成装置。
【発明の詳細な説明】
【技術分野】
【０００１】
本発明は、原稿を読み取る画像読取部を備えた画像形成装置に関する。
【背景技術】
【０００２】
従来、原稿を読み取る画像読取部を備えた画像形成装置が知られている。このような画像形成装置は、たとえば、特許文献１に開示されている。特許文献１の画像形成装置の画像読取部は、コンタクトガラス上に載置された原稿を読み取る。
【０００３】
特許文献１の画像形成装置は、コンタクトガラス上での原稿の位置および原稿の向きに応じて、実行するジョブを変える。たとえば、特許文献１の画像形成装置は、コンタクトガラス上の左奥に縦置きされた原稿を画像読取部が読み取った場合、コピージョブを実行し、コンタクトガラス上の右奥に縦置きされた原稿を画像読取部が読み取った場合、ファックスジョブを実行する。
【先行技術文献】
【特許文献】
【０００４】
【特許文献１】特開２０１６−１３１３０９号公報
【発明の概要】
【発明が解決しようとする課題】
【０００５】
画像形成装置で使用可能な用紙の紙種は種々ある。たとえば、名刺用紙やシール紙などを印刷で用いることができる。したがって、ユーザーは自身に関するユーザー情報が印刷された名刺や名前シールなどの印刷物を取得することができる。
【０００６】
しかし、ユーザー所望の印刷物を取得するには、ユーザーは様々な作業を行わなければならない。たとえば、ユーザー情報が印刷された名刺を取得したい場合には、パーソナルコンピューターなどを用いて、名刺用紙にユーザー情報を印刷するための印刷用ページを作成しなければならない。したがって、ユーザーにとっては煩わしく利便性が悪い。
【０００７】
本発明は、上記課題を解決するためになされたものであり、ユーザーが所望の印刷物を簡単な作業で取得することが可能な画像形成装置を提供することを目的とする。
【課題を解決するための手段】
【０００８】
上記目的を達成するために、本発明の画像形成装置は、用紙に印刷を行う印刷部と、予め登録されたフォーマット情報を原稿の向きと対応付けて記憶する記憶部と、コンタクトガラスに載置された原稿を読み取って画像データを生成する画像読取部と、画像読取部が読み取った読取原稿の画像データに対して文字認識処理を行い、文字認識処理で認識した文字の向きを読取原稿の向きとして判別し、読取原稿の向きに対応するフォーマット情報に基づき印刷用ページを生成し、印刷用ページの印刷を印刷部に行わせる制御部と、を備える。
【０００９】
本発明の構成では、ユーザー所望の印刷物に対応するフォーマット情報（ここでは、ユーザー所望のフォーマット情報と称する）を予め登録しておくことにより、読取対象の原稿の向き（原稿に記された文字の向き）と所望のフォーマット情報に対応付けられた原稿の向きとが一致するようコンタクトガラスに原稿を載置し、その状態で原稿の読み取りを画像形成装置に実行させるだけで、ユーザー所望のフォーマット情報に基づき生成された印刷用ページを用紙（たとえば、名刺用紙やシール紙）に印刷することができるようになる。これにより、ユーザーは所望の印刷物を簡単な作業で取得することができる（印刷用ページをユーザー自身が作成しなくてもよい）。
【発明の効果】
【００１０】
本発明の構成では、ユーザーが所望の印刷物を簡単な作業で取得することが可能な画像形成装置を提供することができる。
【図面の簡単な説明】
【００１１】
【図１】本発明の一実施形態による複合機の構成を示すブロック図
【図２】本発明の一実施形態による複合機の原稿カバーが閉じられた状態および開けられた状態をそれぞれ示す図
【図３】本発明の一実施形態による複合機の制御部が行う特殊ページ生成処理の流れを示すフローチャート
【図４】本発明の一実施形態による複合機のコンタクトガラス上に原稿の向き（文字の向き）が左向きとなるよう原稿を載置した場合に得られる印刷物を示す図
【図５】本発明の一実施形態による複合機のコンタクトガラス上に原稿の向き（文字の向き）が上向きとなるよう原稿を載置した場合に得られる印刷物を示す図
【図６】本発明の一実施形態による複合機のコンタクトガラス上に原稿の向き（文字の向き）が下向きとなるよう原稿を載置した場合に得られる印刷物を示す図
【図７】本発明の一実施形態による複合機のコンタクトガラス上に２枚の原稿が載置された状態の図
【発明を実施するための形態】
【００１２】
以下に、本発明の一実施形態による画像形成装置について、複合機を例にとって説明する。なお、複合機は、スキャン機能やプリント機能など複数種の機能を搭載する。
【００１３】
＜複合機の構成＞
図１に示すように、本実施形態の複合機１００は、制御部１を備える。制御部１は、ＣＰＵ１１およびメモリー１２を含む。制御部１は、制御用のプログラムおよびデータに基づき動作し、複合機１００の各部を制御するための処理を行う。制御用のプログラムおよびデータはメモリー１２に記憶される。また、制御部１は、文字認識ソフトウェア（ＯＣＲソフトウェア）に基づき文字認識処理を行う。文字認識ソフトウェアは予め複合機１００にインストールされ、メモリー１２に記憶される。
【００１４】
また、複合機１００は、画像読取部２を備える。画像読取部２は、原稿を読み取って原稿の画像データを生成する。画像読取部２は、読取ユニット２１を備える。読取ユニット２１は、光源およびイメージセンサーを含む。光源は、原稿に光を照射する。イメージセンサーは、原稿で反射された反射光を受光し光電変換する。読取ユニット２１の各部材は画像読取部２の筐体２０（図２参照）の内部に設置される。
【００１５】
画像読取部２の筐体２０には、図２に示すように、コンタクトガラス２０１が取り付けられる。コンタクトガラス２０１は、筐体２０の上面に形成された開口に配置される。画像読取部２は、コンタクトガラス２０１上に載置された原稿を読み取る。
【００１６】
また、画像読取部２の筐体２０には、原稿カバー２０２が取り付けられる。原稿カバー２０２は、筐体２０の上面（コンタクトガラス２０１の原稿が載置される載置面）に対して開閉する。原稿カバー２０２を開閉可能に支持するため、筐体２０の背面側には回転軸２０ａが設けられる。原稿カバー２０２は、筐体２０の回転軸２０ａに回動可能に支持される。
【００１７】
原稿カバー２０２の開閉はユーザーにより手動で行われる。通常では、原稿の読み取りを伴うジョブ（コピージョブなど）を複合機１００に実行させるときに、コンタクトガラス２０１上に原稿を載置するため、ユーザーは原稿カバー２０２を開ける。そして、コンタクトガラス２０１上に原稿を載置した後、ユーザーは原稿カバー２０２を閉じる。
【００１８】
原稿カバー２０２の開閉を検知するため、筐体２０には開閉センサー２０Ｓが設けられる。たとえば、開閉センサー２０Ｓは、発光部および受光部を有する光センサーである。開閉センサー２０Ｓは、発光部と受光部との間を上下方向に移動可能なアクチュエーター２０３を検知対象とする。なお、図示しない付勢部材により、アクチュエーター２０３は常に上方に向けて付勢される。
【００１９】
原稿カバー２０２が閉じられているとき（図２上図参照）、アクチュエーター２０３が原稿カバー２０２によって下方に押圧されるので、開閉センサー２０Ｓの光路が遮蔽される。一方で、原稿カバー２０２が開けられているとき（図２下図参照）、アクチュエーター２０３に対する原稿カバー２０２による下方への押圧が解除され、アクチュエーター２０３が上方に移動するので、開閉センサー２０Ｓの光路が開放される。これにより、開閉センサー２０Ｓは、原稿カバー２０２が閉じているときと開いているときとで出力値を変化させる。
【００２０】
図１に戻り、制御部１は、開閉センサー２０Ｓに接続される。制御部１は、開閉センサー２０Ｓの出力値に基づき、原稿カバー２０２の開閉状態を検知する。
【００２１】
また、複合機１００は、印刷部３を備える。印刷部３は、用紙搬送路に用紙を給紙するとともに、用紙搬送路に沿って用紙を搬送し、搬送中の用紙に画像を印刷する。なお、印刷部３は、用紙の両面に画像を印刷する両面印刷の実行が可能である。印刷部３は、画像形成ユニット３１および定着ユニット３２を備える。
【００２２】
画像形成ユニット３１は、感光体ドラムおよび転写ローラーを備える。感光体ドラムおよび転写ローラーは、互いに圧接し、転写ニップを形成する。また、画像形成ユニット３１は、感光体ドラムの周面を帯電させる帯電装置、感光体ドラムの周面上に静電潜像を形成する露光装置、および、感光体ドラムの周面上の静電潜像をトナー像に現像する現像装置などを備える。画像形成ユニット３１は、転写ニップを通過する用紙に対して、感光体ドラムの周面上のトナー像を転写する。
【００２３】
定着ユニット３２は、加熱ローラーおよび加圧ローラーを備える。加熱ローラーは、ヒーターを内蔵する。加圧ローラーは、加熱ローラーに圧接し、加熱ローラーとの間で定着ニップを形成する。定着ユニット３２は、定着ニップを通過する用紙を加熱および加圧することにより、用紙にトナー像を定着させる。
【００２４】
図示しないが、複合機１００には、用紙を収容する用紙カセットが着脱可能に設置される。印刷部３による印刷では、用紙カセットの収容用紙が使用される。なお、複合機１００に手差しトレイが設置されている場合には、手差しトレイにセットした用紙を印刷で使用することができる。
【００２５】
画像読取部２および印刷部３は、制御部１に接続される。制御部１は、画像読取部２の読取動作を制御するとともに、印刷部３の印刷動作を制御する。たとえば、制御部１は、印刷で使用する用紙が収容された用紙カセットを給紙元に設定する。そして、印刷部３に印刷を行わせるとき、制御部１は、給紙元の用紙カセットから用紙搬送路に用紙を給紙させる（給紙元の用紙カセットに収容された用紙を使用させる）。
【００２６】
また、複合機１００は、操作パネル４を備える。操作パネル４は、タッチスクリーン４１およびハードウェアボタン４２を含む。タッチスクリーン４１は、ソフトウェアボタンを配した画面を表示し、表示画面（ソフトウェアボタン）に対するタッチ操作をユーザーから受け付ける。ハードウェアボタン４２は、操作パネル４に複数設けられる。ハードウェアボタン４２としては、たとえば、ジョブの実行を指示するスタート操作をユーザーから受け付けるためのスタートボタンなどがある。
【００２７】
操作パネル４は、制御部１に接続される。制御部１は、操作パネル４の表示動作を制御するとともに、操作パネル４に対して行われた操作を検知する。
【００２８】
また、複合機１００は、記憶部５を備える。記憶部５は、ＲＯＭ（ＥＥＰＲＯＭなど）のような不揮発性の記憶デバイスを含む。記憶部５は、制御部１に接続される。制御部１は、記憶部５からの情報の読み出しや記憶部５への情報の書き込みを行う。
【００２９】
＜印刷用ページの生成＞
原稿の読み取りを伴う印刷ジョブの実行指示（スタート操作）を操作パネル４がユーザーから受け付けると、制御部１は、コンタクトガラス２０１上に載置された原稿の読み取りを画像読取部２に行わせる。画像読取部２による原稿の読み取りが完了した後、制御部１は、通常モードおよび特殊モードのうちいずれかのページ生成モードで印刷用ページを生成する。そして、制御部１は、印刷用ページの印刷を印刷部３に行わせる。
【００３０】
ページ生成モードが通常モードである場合、制御部１は、画像読取部２が読み取った原稿の画像データに基づき印刷用ページを生成する通常ページ生成処理を行う。そして、制御部１は、通常ページ生成処理で生成した印刷用ページの印刷を印刷部３に行わせる。この場合には、原稿に記されたテキストや図形などが用紙に印刷される。
【００３１】
ページ生成モードが特殊モードである場合、制御部１は、名刺用紙にユーザー情報を印刷するための印刷用ページやシール紙にユーザー情報を印刷するための印刷用ページなどを生成する特殊ページ生成処理を行う。そして、制御部１は、特殊ページ生成処理で生成した印刷用ページの印刷を印刷部３に行わせる。制御部１による印刷用ページの生成が特殊モードで行われることにより、ユーザーは自身のユーザー情報が印刷された名刺や名前シールなどの印刷物を取得することができる。
【００３２】
ここで、ユーザーは自身のＩＤが記された原稿（たとえば、名前など個人を特定することができるＩＤカードのようなカード原稿）を複合機１００でスキャンすることにより、原稿に記された自身のユーザー情報だけでなく、自身に関する他のユーザー情報も名刺用紙やシール紙に印刷することができる。ただし、名刺用紙やシール紙に印刷したいユーザー情報は予め複合機１００に登録しておく必要がある。ユーザー情報の登録受付は操作パネル４が行う。
【００３３】
操作パネル４は、ユーザー情報の登録を受け付けるとき、登録画面（図示せず）を表示する。そして、操作パネル４は、少なくとも、ユーザー情報としてユーザー名（登録者名）の登録を受け付ける。また、ユーザー情報として、所属会社、所属部門（部や課など）および連絡先（電話番号やメールアドレスなど）などの登録が可能である。ここで挙げたユーザー情報は一例であり、登録可能なユーザー情報は他にも種々ある。
【００３４】
操作パネル４が登録を受け付けたユーザー情報は登録情報６１としてユーザーごとに記憶部５に記憶される（図１参照）。複数のユーザーがユーザー情報を登録した場合には、記憶部５に記憶される登録情報６１は複数（ユーザー情報を登録したユーザー数と同数）となる。記憶部５は、ユーザーごとの登録情報６１をデータベース６０に格納する。
【００３５】
また、制御部１による特殊ページ生成処理では、フォーマット情報７１および紙種情報７２も使用される。フォーマット情報７１および紙種情報７２は記憶部５に記憶される。
【００３６】
フォーマット情報７１は、予め登録され、データベース７０に格納される。フォーマット情報７１はデータベース７０に複数格納され、それぞれが原稿の向きと対応付けられる。フォーマット情報７１の登録はメーカーにより行われる。ユーザーはフォーマット情報７１の追加や削除を任意に行うことができ、フォーマット情報７１に対応付ける原稿の向きの変更も任意に行うことができる。フォーマット情報７１の追加や削除、フォーマット情報７１に対応付ける原稿の向きの変更は操作パネル４がユーザーから受け付ける。
【００３７】
たとえば、名刺用紙に印刷を行うためのフォーマット情報７１（以下、名刺用のフォーマット情報７１と称する場合がある）やシール紙に印刷を行うためのフォーマット情報７１０（以下、シール用のフォーマット情報７１と称する場合がある）などが予め登録される。フォーマット情報７１は、印刷すべきユーザー情報の種類を示す情報や、当該ユーザー情報のページ内でのレイアウト（文字サイズや文字フォントなども含む）を示す情報などを含む。たとえば、名刺用のフォーマット情報７１では、ユーザー名、所属会社、所属部門および所属会社の電話番号などが印刷すべきユーザー情報として定義される。
【００３８】
紙種情報７２は、予め登録された紙種を示す情報である。紙種情報７２はデータベース７０に格納され、各フォーマット情報７１に紙種情報７２が対応付けられる。各フォーマット情報７１に対応する紙種情報７２はメーカーにより定められる。たとえば、名刺用のフォーマット情報７１に対応する紙種情報７２で示される紙種は、厚紙（名刺用紙）である。シール用のフォーマット情報７１に対応する紙種情報７２で示される紙種は、複数の貼付用ラベルが台座シートに配されたラベルシート（シール紙）である。各フォーマット情報７１に対応する紙種情報７２の変更はユーザーが任意に行うことができる。当該変更は操作パネル４がユーザーから受け付ける。
【００３９】
制御部１は、所定条件が満たされている状態で画像読取部２による原稿の読み取りが行われた場合に特殊ページ生成処理を行う。所定条件が満たされていない状態で画像読取部２による原稿の読み取りが行われた場合には、制御部１は通常ページ生成処理を行う（特殊ページ生成処理は行わない）。
【００４０】
たとえば、制御部１は、開閉センサー２０Ｓの出力値に基づき、原稿カバー２０２の開閉状態の検知を行う。そして、原稿カバー２０２が開けられたことを検知した後、原稿カバー２０２が閉じられたことを検知することなく、操作パネル４がスタート操作（原稿の読み取りを伴う印刷ジョブの実行指示）を受け付けると、所定条件が満たされていると判断する。すなわち、制御部１は、原稿カバー２０２が開けられた状態（図２下図に示す状態）で画像読取部２による原稿の読み取りが行われた場合に、所定条件が満たされていると判断する。
【００４１】
あるいは、ページ生成モードを通常モードから特殊モードに切り替えるモード切替操作をユーザーから受け付けるためのモード切替ボタン（図示せず）が操作パネル４に設けられてもよい。この場合、制御部１は、操作パネル４がモード切替操作を受け付けると、ページ生成モードを特殊モードに設定する。なお、制御部１は、ページ生成モードを特殊モードに設定した後、操作パネル４がモード切替操作を再度受け付けると、ページ生成モードを通常モードに戻す。制御部１は、ページ生成モードを特殊モードに設定した状態で操作パネル４がスタート操作（原稿の読み取りを伴う印刷ジョブの実行指示）を受け付けると、所定条件が満たされていると判断する。
【００４２】
以下に、図３に示すフローチャートを参照し、制御部１により行われる特殊ページ生成処理の流れについて説明する。図３に示すフローチャートのスタートは、所定条件が満たされている状態で画像読取部２による原稿の読み取りが開始され、その後、画像読取部２による原稿の読み取りが完了したと制御部１が判断したときである。以下の説明では、画像読取部２が読み取った原稿を読取原稿と称する。
【００４３】
ステップＳ１において、制御部１は、読取原稿の画像データに対して文字認識処理を行う。そして、ステップＳ２において、制御部１は、文字認識処理の結果に基づき、読取原稿に記された個人情報を認識する。たとえば、通常、ＩＤカードには当該ＩＤカードを所有する所有ユーザーの名前が記される（所有ユーザーの名前が個人情報に相当する）。したがって、読取原稿がＩＤカードである場合には、個人情報としてＩＤカードの所有ユーザーの名前が制御部１により認識される。
【００４４】
ステップＳ３において、制御部１は、読取原稿に記された個人情報に対応するユーザーを対象ユーザーとして特定するユーザー特定処理を行う。このとき、たとえば、制御部１は、登録情報６１のユーザー名を対象情報に設定し、読取原稿の個人情報から対象情報に設定したユーザー名を検索する。制御部１は、或る登録情報６１のユーザー名を対象情報に設定して行った検索の結果、読取原稿の個人情報から対象情報に設定したユーザー名が見つからなければ、別の登録情報６１のユーザー名を新たな対象情報に設定して再度検索を行う。そして、制御部１は、読取原稿の個人情報から対象情報に設定したユーザー名と一致する情報が見つかったとき、そのときに対象情報に設定していたユーザー名を含む登録情報６１に対応するユーザーを対象ユーザーとして特定する。
【００４５】
ステップＳ４において、制御部１は、対象ユーザーを特定できたか否か（いずれかの登録情報６１のユーザー名と一致する情報が読取原稿の個人情報から見つかったか否か）を判断する。その結果、対象ユーザーを特定できたと制御部１が判断した場合には、ステップＳ５に移行する。
【００４６】
ステップＳ５に移行すると、制御部１は、読取原稿の画像データに対する文字認識処理で認識した文字の向きを読取原稿の向きとして判別する。ここでは、たとえば、主走査方向の一方側を上側（他方側を下側）とし副走査方向の一方側を左側（他方側を右側）とした場合の文字の向きが読取原稿の向きとして制御部１により判別される。
【００４７】
ステップＳ６において、制御部１は、読取原稿の向きに対応するフォーマット情報７１を認識する。また、制御部１は、読取原稿の向きに対応するフォーマット情報７１に対応付けられた紙種情報７２を認識する。すなわち、制御部１は、読取原稿の向きに対応する紙種情報７２を認識する。
【００４８】
ステップＳ７において、制御部１は、読取原稿の向きに対応するフォーマット情報７１の内容をユーザーに報知するための報知情報（図示せず）を操作パネル４に表示させる。また、制御部１は、読取原稿の向きに対応する紙種情報７２で示される紙種を印刷で使用する用紙の紙種としてユーザーに報知するための報知情報（図示せず）を操作パネル４に表示させる。
【００４９】
ステップＳ８において、制御部１は、報知情報で示される内容での印刷を許可するか否かの受け付けを操作パネル４に行わせる。操作パネル４は、たとえば、許可ボタンおよび不許可ボタンを表示し、報知情報で示される内容での印刷を許可するか否かをユーザーから受け付ける。そして、制御部１は、印刷を許可する旨を操作パネル４が受け付けたか否か（許可ボタンに対するタッチ操作が行われたか不許可ボタンに対するタッチ操作が行われたか）を判断する。その結果、印刷を許可する旨を操作パネル４が受け付けたと制御部１が判断した場合には、ステップＳ９に移行する。
【００５０】
ステップＳ９に移行すると、制御部１は、読取原稿の向きに対応するフォーマット情報７１に基づき印刷用ページを生成する。制御部１は、印刷用ページを生成するとき、読取原稿の向きに対応するフォーマット情報７１に基づき、印刷すべきユーザー情報の種類（ここでは、対象種類と称する）を認識する。また、制御部１は、読取原稿の向きに対応するフォーマット情報７１に基づき、印刷すべきユーザー情報のページ内でのレイアウト（ここでは、対象レイアウトと称する）を認識する。
【００５１】
その後、制御部１は、対象ユーザーの登録情報６１から、対象種類に対応するユーザー情報を抽出する。対象種類が複数存在する場合には、複数の対象種類にそれぞれ対応する複数のユーザー情報が制御部１により抽出される。たとえば、読取原稿の向きに対応するフォーマット情報７１が名刺用のフォーマット情報７１である場合には、対象ユーザーの登録情報６１から、ユーザー名、所属会社、所属部門および所属会社の電話番号が抽出される。ここでは、制御部１により抽出されたユーザー情報を抽出ユーザー情報と称する。そして、制御部１は、抽出ユーザー情報を含むページを印刷用ページとして生成する。このとき、制御部１は、抽出ユーザー情報のページ内でのレイアウトを対象レイアウトに合わせる。
【００５２】
ステップＳ１０において、制御部１は、読取原稿の向きに対応する紙種情報７２で示される紙種を認識し、当該認識した紙種の用紙（ここでは、対象用紙と称する）を収容する用紙カセットを給紙元に設定する。すなわち、制御部１は、印刷部３に対象用紙を使用させる。なお、対象用紙を収容する用紙カセットが存在しない場合がある。この場合、たとえば、制御部１は、手差しトレイに対象用紙をセットするよう促すメッセージを操作パネル４に表示させ、手差しトレイを給紙元に設定する。
【００５３】
ステップＳ１１において、制御部１は、印刷用ページの印刷を印刷部３に行わせる。印刷部３は、給紙元の用紙カセット（あるいは、手差しトレイ）から用紙搬送路に対象用紙を給紙するとともに、印刷用ページに対応するトナー像を形成し、当該トナー像を対象用紙に印刷する。なお、フォーマット情報７１に印刷枚数を示す枚数情報を含めてもよい。読取原稿の向きに対応するフォーマット情報７１に枚数情報が含まれている場合、制御部１は、当該枚数情報で示される枚数分の印刷を印刷部３に行わせる。
【００５４】
ステップＳ４において、対象ユーザーを特定できなかったと制御部１が判断した場合には、ステップＳ１２に移行する。ステップＳ１２に移行すると、制御部１は、読取原稿の確認をユーザーに促す確認メッセージを操作パネル４に表示させる。その後、ステップＳ１３に移行する。ステップＳ８において、印刷を許可しない旨を操作パネル４が受け付けたと制御部１が判断した場合にも、ステップＳ１３に移行する。ステップＳ１３に移行すると、制御部１は、印刷ジョブをキャンセルする。この場合には、たとえば、ユーザーは原稿の再スキャンを行う。
【００５５】
なお、ステップＳ７において、印刷用ページをプレビューするためのプレビュー画像を報知情報と共に操作パネル４に表示してもよい。また、報知情報を操作パネル４に表示させるとき、フォーマットや紙種の変更の受け付けを操作パネル４に行わせてもよい。
【００５６】
以下に、ＩＤカードを所有する所有ユーザーのユーザー情報を名刺用紙やシール紙に印刷する場合を例にとって具体的に説明する。
【００５７】
一例として、図４上図に示すようなＩＤカード３００（「原稿」および「読取原稿」に相当）がコンタクトガラス２０１上に載置されているとする。また、ＩＤカード３００に記された個人情報３１０の各文字が白抜矢印方向（左方向）に向けられているとする。ＩＤカード３００には、個人情報３１０として、ＩＤカード３００の所有ユーザーの名前（符号３１１を付す）および当該所有ユーザーの所属会社の名前（符号３１２を付す）が記されているとする。そして、名刺用のフォーマット情報７１に対応する原稿の向きが左向きであったとする。
【００５８】
図４に示す例において、原稿カバー２０２が開けられた状態でＩＤカード３００の読み取りが行われた場合には、ＩＤカード３００の各文字の向きが左向きであるので、制御部１により判別されるＩＤカード３００の向き（読取原稿の向き）は左向きとなる。なお、ここでは、制御部１がＩＤカード３００の所有ユーザーを対象ユーザーとして特定した（ＩＤカード３００の所有ユーザーに対応する登録情報６１が記憶部５に記憶されている）とする。
【００５９】
この場合、制御部１は、名刺用のフォーマット情報７１に基づき、印刷すべきユーザー情報を認識する。たとえば、名刺用のフォーマット情報７１では、印刷すべきユーザー情報として、ユーザー名、所属会社、所属部門および所属会社の電話番号が定義されているとする。この場合、制御部１は、ＩＤカード３００の所有ユーザーに対応する登録情報６１から、ユーザー名、所属会社、所属部門および所属会社の電話番号を抽出し、当該抽出した各ユーザー情報（ユーザー名、所属会社、所属部門および所属会社の電話番号）を含む印刷用ページを生成する。
【００６０】
また、制御部１は、名刺用のフォーマット情報７１に対応する紙種情報７２で示される紙種を認識する。たとえば、名刺用のフォーマット情報７１に対応する紙種情報７２で示される紙種が厚紙（名刺用紙）であるとする。この場合、制御部１は、名刺用の厚紙が収容された用紙カセット（または、名刺用の厚紙がセットされた手差しトレイ）を給紙元に設定する。そして、制御部１は、名刺用のフォーマット情報７１に基づき生成した印刷用ページの印刷を印刷部３に行わせる。
【００６１】
これにより、図４下図に示すように、ＩＤカード３００の所有ユーザーに関するユーザー情報３２０（ユーザー名、所属会社、所属部門および所属会社の電話番号）が印刷された名刺用紙ＢＰが複合機１００から出力される。図４下図では、符号３２１を付したユーザー情報３２０がＩＤカード３００の所有ユーザーの名前に相当し、符号３２２を付したユーザー情報３２０が当該所有ユーザーの所属会社の名前に相当し、符号３２３を付したユーザー情報３２０が当該所有ユーザーの所属部門の名称に相当し、符号３２４を付したユーザー情報３２０が当該所有ユーザーの所属会社の電話番号に相当する。
【００６２】
別の例として、図５上図に示すようなＩＤカード４００（「原稿」および「読取原稿」に相当）がコンタクトガラス２０１上に載置されているとする。また、ＩＤカード４００の各文字が白抜矢印方向（上方向）に向けられているとする。ＩＤカード４００には、個人情報４１０として、ＩＤカード４００の所有ユーザーの名前（符号４１１を付す）および当該所有ユーザーの所属会社の名前（符号４１２を付す）が記されているとする。そして、シール用のフォーマット情報７１に対応する原稿の向きが上向きであったとする。
【００６３】
図５に示す例において、原稿カバー２０２が開けられた状態でＩＤカード４００の読み取りが行われた場合には、ＩＤカード４００の各文字の向きが上向きであるので、制御部１により判別されるＩＤカード４００の向き（読取原稿の向き）は上向きとなる。なお、ここでは、制御部１がＩＤカード４００の所有ユーザーを対象ユーザーとして特定した（ＩＤカード４００の所有ユーザーに対応する登録情報６１が記憶部５に記憶されている）とする。
【００６４】
この場合、制御部１は、シール用のフォーマット情報７１に基づき、印刷すべきユーザー情報を認識する。たとえば、シール用のフォーマット情報７１では、印刷すべきユーザー情報としてユーザー名が定義されているとする。この場合、制御部１は、ＩＤカード４００の所有ユーザーに対応する登録情報６１からユーザー名を抽出し、当該抽出したユーザー名を含む印刷用ページを生成する。
【００６５】
また、制御部１は、シール用のフォーマット情報７１に対応する紙種情報７２で示される紙種を認識する。たとえば、シール用のフォーマット情報７１に対応する紙種情報７２で示される紙種がラベルシート（シール紙）であるとする。この場合、制御部１は、ラベルシートが収容された用紙カセット（または、ラベルシートがセットされた手差しトレイ）を給紙元に設定する。そして、制御部１は、シール用のフォーマット情報７１に基づき生成した印刷用ページの印刷を印刷部３に行わせる。
【００６６】
これにより、図５下図に示すように、ＩＤカード４００の所有ユーザーに関するユーザー情報４２０（ユーザー名）が印刷されたシール紙ＳＰが複合機１００から出力される。図５下図では、符号４２１を付したユーザー情報４２０がＩＤカード４００の所有ユーザーの名前に相当する。なお、図５下図では、複数の貼付用ラベルＬａにそれぞれユーザー情報４２０が印刷されたシール紙ＳＰ（ラベルシート）を図示する。
【００６７】
ここで、メーカーやユーザーは両面印刷用のフォーマット情報７１を登録することができる。両面印刷用のフォーマット情報７１には、表面ページ用のフォーマット情報および裏面ページ用のフォーマット情報が含まれる。
【００６８】
制御部１は、読取原稿の向きに対応するフォーマット情報７１が両面印刷用のフォーマット情報７１（両面印刷が必要なフォーマット情報７１）である場合、両面印刷用のフォーマット情報７１に基づき、２ページ分の印刷用ページを生成する。すなわち、制御部１は、表面ページの印刷用ページを生成するとともに、裏面ページの印刷用ページを生成する。そして、制御部１は、印刷部３に両面印刷を行わせる。印刷部３は、表面ページの印刷用ページを用紙の一方面に印刷し、当該用紙の一方面とは逆の他方面に裏面ページの印刷用ページを印刷する。
【００６９】
たとえば、図６左図に示すように、図５に示したＩＤカード４００が上下反転するようコンタクトガラス２０１上に載置されているとする。すなわち、ＩＤカード４００の各文字が白抜矢印方向（下方向）に向けられているとする。また、両面印刷用のフォーマット情報７１に対応する原稿の向きが下向きであったとする。
【００７０】
図６に示す例において、原稿カバー２０２が開けられた状態でＩＤカード４００の読み取りが行われた場合には、ＩＤカード４００の各文字の向きが下向きであるので、制御部１により判別されるＩＤカード４００の向き（読取原稿の向き）は下向きとなる。なお、ここでは、制御部１がＩＤカード４００の所有ユーザーを対象ユーザーとして特定したとする。
【００７１】
この場合、制御部１は、両面印刷用のフォーマット情報７１に基づき、印刷すべきユーザー情報を認識する。たとえば、両面印刷用のフォーマット情報７１では、表面ページに印刷すべきユーザー情報として第１言語のユーザー情報（ここでは、ユーザー名、所属会社、所属部門および所属会社の電話番号とする）が定義されているとする。また、両面印刷用のフォーマット情報７１では、裏面ページに印刷すべきユーザー情報として第２言語のユーザー情報（ここでは、ユーザー名、所属会社、所属部門および所属会社の電話番号とする）が定義されているとする。たとえば、第１言語が日本語であり、第２言語が英語であるとする。
【００７２】
この場合、制御部１は、表面ページの印刷用ページを生成するため、ＩＤカード４００の所有ユーザーに対応する登録情報６１から、第１言語で表現されたユーザー情報（ユーザー名、所属会社、所属部門および所属会社の電話番号）を抽出する。そして、制御部１は、当該抽出した第１言語のユーザー情報（ユーザー名、所属会社、所属部門および所属会社の電話番号）を含む印刷用ページを表面ページの印刷用ページとして生成する。
【００７３】
また、制御部１は、裏面ページの印刷用ページを生成するため、ＩＤカード４００の所有ユーザーに対応する登録情報６１から、第２言語で表現されたユーザー情報（ユーザー名、所属会社、所属部門および所属会社の電話番号）を抽出する。そして、制御部１は、当該抽出した第２言語のユーザー情報（ユーザー名、所属会社、所属部門および所属会社の電話番号）を含む印刷用ページを裏面ページの印刷用ページとして生成する。
【００７４】
また、制御部１は、両面印刷用のフォーマット情報７１に対応する紙種情報７２で示される紙種を認識する。たとえば、両面印刷用のフォーマット情報７１に対応する紙種情報７２で示される紙種が厚紙（名刺用紙）であるとする。この場合、制御部１は、名刺用の厚紙が収容された用紙カセット（または、名刺用の厚紙がセットされた手差しトレイ）を給紙元に設定する。そして、制御部１は、両面印刷用のフォーマット情報７１に基づき生成した２ページ分の印刷用ページを名刺用の厚紙の両面に１ページずつ印刷する両面印刷を印刷部３に行わせる。
【００７５】
これにより、図６右図に示すように、ＩＤカード４００の所有ユーザーに関するユーザー情報４２０（ユーザー名、所属会社、所属部門および所属会社の電話番号）が印刷された名刺用紙ＢＰが複合機１００から出力される。
【００７６】
名刺用紙ＢＰの表面には、ユーザー情報４２０が第１原稿（日本語）で印刷される。図６右図では、符号４２１を付したユーザー情報４２０がＩＤカード４００の所有ユーザーの名前に相当し、符号４２２を付したユーザー情報４２０が当該所有ユーザーの所属会社の名前に相当し、符号４２３を付したユーザー情報４２０が当該所有ユーザーの所属部門の名称に相当し、符号４２４を付したユーザー情報４２０が当該所有ユーザーの所属会社の電話番号に相当する。
【００７７】
一方で、名刺用紙ＢＰの裏面には、ユーザー情報４２０が第２原稿（英語）で印刷される。図６右図では、符号４２５を付したユーザー情報４２０がＩＤカード４００の所有ユーザーの名前に相当し、符号４２６を付したユーザー情報４２０が当該所有ユーザーの所属会社の名前に相当し、符号４２７を付したユーザー情報４２０が当該所有ユーザーの所属部門の名称に相当し、符号４２８を付したユーザー情報４２０が当該所有ユーザーの所属会社の電話番号に相当する。
【００７８】
なお、制御部１は、所定条件が満たされている状態で画像読取部２が複数枚の原稿を同時に読み取った場合（画像読取部２が読み取った読取原稿が複数枚存在する場合）、複数枚の読取原稿のそれぞれについて、対象ユーザーを特定するとともに、読取原稿の向きを判別し、複数枚の読取原稿にそれぞれ対応する複数の印刷用ページを生成する。そして、制御部１は、複数の印刷用ページの印刷を印刷部３に順次行わせる。
【００７９】
たとえば、図７に示すように、図４に示したＩＤカード３００および図５に示したＩＤカード４００がコンタクトガラス２０１上に載置されているとする。なお、コンタクトガラス２０１上でのＩＤカード３００の向き（文字の向き）が左向きであり、コンタクトガラス２０１上でのＩＤカード４００の向き（文字の向き）が上向きであるとする。ＩＤカード３００および４００の各向きを白抜矢印で示す。
【００８０】
この場合、制御部１は、ＩＤカード３００の所有ユーザーを対象ユーザーとして特定するとともに、ＩＤカード４００の所有ユーザーを対象ユーザーとして特定する。その後、制御部１は、ＩＤカード３００の所有ユーザーに対応する登録情報６１から、印刷すべきユーザー情報を抽出するとともに、当該抽出したユーザー情報を含む印刷用ページを生成する。ここで、ＩＤカード３００の向きは左向きであり、左向きに対応するフォーマット情報７１は名刺用のフォーマット情報７１であるので、ＩＤカード３００の所有ユーザーに対応する印刷用ページは名刺用のフォーマット情報７１に基づき生成される。
【００８１】
また、制御部１は、ＩＤカード４００の所有ユーザーに対応する登録情報６１から、印刷すべきユーザー情報を抽出するとともに、当該抽出したユーザー情報を含む印刷用ページを生成する。ここで、ＩＤカード４００の向きは上向きであり、上向きに対応するフォーマット情報７１はシール用のフォーマット情報７１であるので、ＩＤカード４００の所有ユーザーに対応する印刷用ページはシール用のフォーマット情報７１に基づき生成される。
【００８２】
ＩＤカード３００に対応する印刷用ページおよびＩＤカード４００に対応する印刷用ページを生成した後、制御部１は、各印刷用ページの印刷を印刷部３に行わせる。ここで、名刺用のフォーマット情報７１に対応する紙種情報７２で示される紙種は名刺用紙ＢＰであるので、制御部１は、ＩＤカード３００に対応する印刷用ページの印刷では名刺用紙ＢＰを使用させる。一方で、シール用のフォーマット情報７１に対応する紙種情報７２で示される紙種はシール紙ＳＰであるので、制御部１は、ＩＤカード４００に対応する印刷用ページの印刷ではシール紙ＳＰを使用させる。このため、ＩＤカード４００の所有ユーザーに関するユーザー情報が印刷された名刺用紙ＢＰおよびＩＤカード５００の所有ユーザーに関するユーザー情報が印刷されたシール紙ＳＰが複合機１００から順次出力される。
【００８３】
本実施形態では、上記のように構成することによって、ユーザー所望の印刷物に対応するフォーマット情報７１（ここでは、ユーザー所望のフォーマット情報７１と称する）を予め登録しておくことにより、読取対象の原稿の向き（原稿に記された文字の向き）と所望のフォーマット情報７１に対応付けられた原稿の向きとが一致するようコンタクトガラス２０１上に原稿を載置し、その状態で原稿の読み取りを複合機１００に実行させるだけで、ユーザー所望のフォーマット情報７１に基づき生成された印刷用ページを用紙（たとえば、名刺用紙ＢＰやシール紙ＳＰ）に印刷することができるようになる。これにより、ユーザーは所望の印刷物を簡単な作業で取得することができる（印刷用ページをユーザー自身が作成しなくてもよい）。
【００８４】
また、本実施形態では、制御部１は、読取原稿に記された個人情報に対応するユーザーを対象ユーザーとして特定し、読取原稿の向きに対応するフォーマット情報７１に基づき、対象ユーザーの登録情報６１から印刷すべきユーザー情報を抽出し、当該抽出したユーザー情報を含む印刷用ページを生成する。この構成では、予めユーザー情報を登録しておくことにより、当該登録したユーザー情報が印刷された印刷物を取得することができる。
【００８５】
また、本実施形態では、制御部１は、対象ユーザーを特定できなかった場合、読取原稿の確認を促す確認メッセージを操作パネル４に表示させる。この構成では、たとえば、ユーザーがコンタクトガラス２０１上に載置した原稿の表裏面（読取面）の向きが間違っている場合に操作パネル４に確認メッセージ表示される。これにより、原稿の表裏面の向きが間違っていることをユーザーに認識させることができる。
【００８６】
また、本実施形態では、制御部１は、印刷用ページの印刷を印刷部３に行わせるとき、読取原稿の向きに対応するフォーマット情報７１に対応付けられた紙種情報７２（読取原稿の向きに対応する紙種情報７２）で示される紙種の用紙を使用させる。この構成では、ユーザーは所望の紙種の用紙を使用することができる。すなわち、名刺を作成したい場合には名刺用紙ＢＰを使用することができ、名前シールを作成したい場合にはシール紙ＳＰを使用することができる。これにより、ユーザーにとっては利便性が良い。
【００８７】
また、本実施形態では、制御部１は、両面印刷用のフォーマット情報７１が読取原稿の向きに対応する場合、両面印刷用のフォーマット情報７１に基づき表面ページの印刷用ページと裏面ページの印刷用ページとを生成し、当該生成した２ページ分の印刷用ページをそれぞれ用紙の一方面および他方面に１ページずつ印刷する両面印刷を印刷部３に行わせる。この構成では、たとえば、名刺を作成する場合、名刺用紙ＢＰの両面に互いに異なるユーザー情報を印刷する、といったことが行える。
【００８８】
また、本実施形態では、制御部１は、読取原稿の向きに対応するフォーマット情報７１および当該フォーマット情報７１に対応付けられた紙種情報７２（印刷用ページの印刷で使用する用紙の紙種を示す紙種情報７２）の各内容をユーザーに報知するための報知情報を操作パネル４に表示させる。この構成では、印刷用ページがどのようなフォーマット情報７１に基づき生成されるのかを事前に知ることができる。また、当該印刷用ページが印刷される用紙の紙種を事前に知ることができる。これにより、ユーザーの利便性が向上する。
【００８９】
また、本実施形態では、制御部１は、報知情報で示される内容での印刷を許可する旨を操作パネル４が受け付けた場合に、読取原稿の向きに対応するフォーマット情報７１に基づき生成した印刷用ページの印刷を印刷部３に行わせる。この構成では、報知情報で示される内容での印刷を許可するか否かを選択することができるので、ユーザーの利便性が向上する。
【００９０】
また、本実施形態では、制御部１は、コンタクトガラス２０１上に載置された原稿を原稿カバー２０２が開けられた状態で画像読取部２が読み取った場合に、読取原稿の向きに対応するフォーマット情報７１に基づき生成した印刷用ページの印刷を印刷部３に行わせる。この構成では、コンタクトガラス２０１上に原稿を載置した後、原稿カバー２０２を開けたまま操作パネル４のスタートボタンを押すだけで、ユーザーは所望の印刷物を取得することができる。
【００９１】
また、本実施形態では、制御部１は、読取原稿が複数枚存在する場合（画像読取部２が複数枚の原稿を同時に読み取った場合）、複数枚の読取原稿のそれぞれについて読取原稿の向きを判別し、複数枚の読取原稿にそれぞれ対応する複数の印刷用ページを生成し、複数の印刷用ページの印刷を印刷部３に順次行わせる。この構成では、たとえば、或る原稿および別の原稿をコンタクトガラス２０１上に載置した状態で複合機１００に読み取りを実行させることにより、或る原稿に対応する印刷用ページの印刷および別の原稿に対応する印刷用ページの印刷を連続して実行させることができる。
【００９２】
ここで、コード画像が付されたＩＤカード（「原稿」および「読取原稿」に相当）が読取対象となり得る。特に限定されないが、コード画像は二次元コード（たとえば、ＱＲコード（登録商標）など）である。
【００９３】
たとえば、所定条件が満たされている状態で画像読取部２がコード画像を読み取ったとする。この場合には、画像読取部２の読み取りで得られた画像データからコード画像が検出される。制御部１は、コード画像を検出した場合、コード画像の向きを読取原稿の向きとして判別する。コード画像がＱＲコード（登録商標）である場合、制御部１は、コード画像の３隅に存在するシンボル（位置検出用パターン）の位置に基づきコード画像の向きを判別する。
【００９４】
その後、制御部１は、コード画像に埋め込まれた情報にユーザー情報が存在するか否かを判断する。コード画像に埋め込まれた情報にユーザー情報が存在する場合、制御部１は、コード画像の向き（読取原稿の向き）に対応するフォーマット情報７１に基づき、コード画像に埋め込まれた情報から印刷すべきユーザー情報を抽出するとともに、当該抽出したユーザー情報を含む印刷用ページを生成し、当該生成した印刷用ページの印刷を印刷部３に行わせる。
【００９５】
この構成では、ユーザー情報を事前に登録しなくても、ユーザー情報が印刷された名刺やシール紙を得ることができるので、利便性が良い。
【００９６】
なお、変形例として、所定条件が満たされている状態で画像読取部２が複数枚の原稿（ＩＤカード）を同時に読み取った場合（画像読取部２が読み取った読取原稿が複数枚存在する場合）、複数枚の読取原稿の各所有ユーザーの所属会社に関する組織図が印刷されてもよい。
【００９７】
変形例では、予め登録された組織図を印刷するための組織図データが記憶部５に記憶される。そして、制御部１は、組織図データに基づき組織図の一部を含む印刷用ページを生成し、当該生成した印刷用ページの印刷を印刷部に行わせる。以下に具体的に説明する。
【００９８】
制御部１は、所定条件が満たされている状態で画像読取部２が複数枚の原稿（ＩＤカード）を同時に読み取った場合、複数枚の読取原稿にそれぞれ対応する複数の所有ユーザーを特定し、各所有ユーザーの登録情報６１に基づき各所有ユーザーの所属部門を認識する。たとえば、図７に示した例では、ＩＤカード３００および４００の各所有ユーザーの所属部署が制御部１により認識される。そして、制御部１は、各所有ユーザーの所属部門が同じであるか否かを判断する。
【００９９】
各所有ユーザーの所属部門が同じである場合、制御部１は、各所有ユーザーの所属部門の組織図を印刷するための印刷用ページを組織図データに基づき生成し、当該生成した印刷用ページの印刷を印刷部３に行わせる。たとえば、ＩＤカード３００および４００の各所有ユーザーの所属部署が共に営業部営業２課であったとする。この場合には、営業２課の組織図が印刷される。
【０１００】
各所有ユーザーの所属部門が異なる場合、制御部１は、各所有ユーザーの所属部門よりも上位の部門から各ユーザーの所属部門までの組織図を印刷するための印刷用ページを組織図データに基づき生成し、当該生成した印刷用ページの印刷を印刷部３に行わせる。たとえば、ＩＤカード３００の所有ユーザーの所属部署が営業部営業２課であり、ＩＤカード４００の所有ユーザーの所属部署が営業部営業１課であったとする。この場合には、営業部の組織図（営業１課および営業２課を含む組織図）が印刷される。
【０１０１】
この構成では、ユーザーからすると、他のユーザーとの間の会社組織上での関係を容易に知ることができるので、利便性が良い。
【０１０２】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【符号の説明】
【０１０３】
１  制御部
２  画像読取部
３  印刷部
４  操作パネル
５  記憶部
１００  複合機
【図１】
2019176411.tif 000003
【図２】
2019176411.tif 000004
【図３】
2019176411.tif 000005
【図４】
2019176411.tif 000006
【図５】
2019176411.tif 000007
【図６】
2019176411.tif 000008
【図７】
2019176411.tif 000009